(57)【要約】【課題】演算値を補正するための時間と労力を減少できるようにする。【解決手段】印刷用紙３は、少なくとも２つの面Ａ，Ｂが面付けされると共に、各面Ａ，Ｂの周囲には不要部Ｃ，Ｄ，Ｅ，Ｆ，Ｇが設けられ、演算部は、所定の演算値が補正されるとき、各面の各辺Ａ，Ｂの長さに関する入力値Ｘ，Ｙは変更せず、不要部Ｃ，Ｄ，Ｅ，Ｆ，Ｇの幅に関する入力値Ｐ１〜Ｐ４が変更するように、他の演算値を自動的に補正する自動補正部を備え、制御部は、演算値が補正されるときは補正値に基づいて、演算値が補正されないときは演算値に基づいて、印刷用紙が断裁される毎に位置決めブロックを所定の位置に配置する。【選択図】図５
2015229202.tif 000002
【特許請求の範囲】
【請求項１】
印刷用紙を載置するためのテーブルと、
前記テーブルに載置された前記印刷用紙を断裁するための断裁刃と、
前記断裁刃を待機位置と断裁位置との間で往復運動するための断裁刃駆動機構と、
前記テーブルに載置された前記印刷用紙を位置決めするための位置決めブロックと、
前記位置決めブロックを前記断裁刃に対して近接及び離間する方向に移動するための位置決めブロック駆動機構と、
前記印刷用紙の断裁されるべき位置に関する入力値の入力を受ける入力部と、
前記入力値に基づいて、前記印刷用紙が断裁される毎に配置されるべき前記位置決めブロックの位置に関する演算値を演算する演算部と、
前記断裁刃駆動機構及び前記位置決めブロック駆動機構の動作を制御するための制御部と、を備え、
前記印刷用紙は、
少なくとも２つの面が面付けされると共に、前記各面の周囲には不要部が設けられ、
前記演算部は、
所定の前記演算値が補正されるとき、前記各面の各辺の長さに関する前記入力値は変更せず、前記不要部の幅に関する前記入力値が変更するように、他の前記演算値を自動的に補正する自動補正部を備え、
前記制御部は、
前記演算値が補正されるときは補正値に基づいて、前記演算値が補正されないときは前記演算値に基づいて、前記印刷用紙が断裁される毎に前記位置決めブロックを所定の位置に配置する
ことを特徴とする用紙断裁機。
【請求項２】
前記印刷用紙は、少なくとも４つの前記面が面付けされ、
前記自動補正部は、
前記印刷用紙から前記各面が切り落とされる前に前記印刷用紙が少なくとも２つに分割され、分割された前記各印刷用紙における前記各面の配置が同じとき、所定の分割された前記印刷用紙の前記補正値に対応する他の分割された前記印刷用紙の所定の前記演算値を自動的に補正する
ことを特徴とする請求項１に記載の用紙断裁機。
【請求項３】
さらに、前記位置決めブロックを所定の位置に移動するように指示するための移動指示部を備え、
前記制御部は、
前記移動指示部の指示に基づいて、前記位置決めブロックが前記断裁刃に対して近接又は離間する方向に移動するように、前記位置決めブロック駆動機構を制御し、
前記演算部は、
所定の前記演算値に基づいて前記位置決めブロックが所定の位置に配置された後に、前記移動指示部によって前記位置決めブロックが移動されると、前記位置決めブロックの移動量に基づいて、前記所定の演算値を補正する
ことを特徴とする請求項１又は２に記載の用紙断裁機。
【請求項４】
前記移動指示部は、第１及び第２ボタンを備え、
前記制御部は、
前記第１ボタンが押されている間、前記位置決めブロックが前記断裁刃に対して近接する方向に移動するように、前記位置決めブロック駆動機構を制御すると共に、
前記第２ボタンが押されている間、前記位置決めブロックが前記断裁刃に対して離間する方向に移動するように、前記位置決めブロック駆動機構を制御する
ことを特徴とする請求項３に記載の用紙断裁機。
【請求項５】
さらに、前記テーブルの上方から可視光線を照射する照射部を備え、
前記照射部は、
前記テーブル上に載置された前記印刷用紙に前記可視光線を照射することによって、前記印刷用紙に前記断裁刃の先端の位置を示す
ことを特徴とする請求項１〜４のいずれかに記載の用紙断裁機。
【発明の詳細な説明】
【技術分野】
【０００１】
本発明は、印刷用紙を断裁するための用紙断裁機に関するものである。
【背景技術】
【０００２】
製本工程には、印刷用紙を断裁して所定のサイズの用紙に形成する用紙断裁工程がある。用紙断裁工程では、用紙断裁機が使用される（例えば特許文献１参照）。図１の通り、用紙断裁機は、フレーム１と、フレーム１に取り付けられ、印刷用紙３を載置するためのテーブル２と、を備える。
【０００３】
用紙断裁機は、テーブル２の上方に、印刷用紙３を断裁するための断裁刃４を備える。テーブル２上には、刃受けプレート５が断裁刃４に対向して配置される。そして、断裁刃４は、印刷用紙３から上方に間隔をあけた待機位置と、刃受けプレート５に当接して印刷用紙３を断裁する断裁位置との間で往復運動する。
【０００４】
用紙断裁機は、位置決めブロック６を備える。位置決めブロック６は、断裁刃４に対して近接及び離間する方向に移動する。印刷用紙３の所定の辺を位置決めブロック６に当接することで、印刷用紙３が断裁刃４に対して位置決めされる。
【０００５】
用紙断裁機は、ディスプレイ１１と、入力値（数値）の入力を受ける入力部２０と、を備える。用紙断裁機は、さらに、演算回路等からなる演算部を備える。演算部は、入力値に基づいて、印刷用紙３が断裁される毎に配置されるべき位置決めブロック６の位置に関する演算値を演算する。
【０００６】
オペレーターは、入力部２０を介して、印刷用紙３の断裁されるべき位置に関する入力値を入力する。そして、オペレーターは、ディスプレイ１１に表示される指示に従って、印刷用紙３の所定の辺を位置決めブロック６に当接する。
【０００７】
そして、オペレーターが用紙断裁機の断裁スイッチ１２ａ，１２ｂを押すことで、断裁刃４が待機位置から断裁位置へ下降して、印刷用紙３の所定位置を断裁する。位置決めブロック６は、印刷用紙３が断裁される毎に、演算値に基づいた所定の位置に配置される。
【０００８】
ところで、印刷用紙３は、少なくとも２つの面が面付けされる場合がある。その場合、上記と同様に、オペレーターは、入力部２０を介して、印刷用紙３の断裁されるべき位置に関する入力値を入力する。そして、オペレーターは、ディスプレイ１１に表示される指示に従って、印刷用紙３の所定の辺を位置決めブロック６に当接する。
【０００９】
そして、オペレーターが用紙断裁機の断裁スイッチ１２ａ，１２ｂを押すことで、断裁刃４が待機位置から断裁位置へ下降して、印刷用紙３の所定位置を断裁する。その結果、印刷用紙３から所定サイズの各面を切り落とすことができる。
【００１０】
しかし、予め決められた面の位置に対して、印刷された面の位置がずれている場合、従来の用紙断裁機では、印刷用紙３が断裁される毎に配置されるべき位置決めブロック６の位置に関する全ての演算値を補正する必要があった。そのため、オペレーターは、演算値を補正するために多大な時間と労力を必要としていた。
【先行技術文献】
【特許文献】
【００１１】
【特許文献１】特開２００９−２７９７１３号公報
【発明の概要】
【発明が解決しようとする課題】
【００１２】
そこで、本発明が解決しようとする課題は、上記の問題に鑑みて、演算値を補正するための時間と労力を減少できる用紙断裁機を提供することである。
【課題を解決するための手段】
【００１３】
上記課題を解決するために、本発明に係る用紙断裁機は、
印刷用紙を載置するためのテーブルと、
テーブルに載置された印刷用紙を断裁するための断裁刃と、
断裁刃を待機位置と断裁位置との間で往復運動するための断裁刃駆動機構と、
テーブルに載置された印刷用紙を位置決めするための位置決めブロックと、
位置決めブロックを断裁刃に対して近接及び離間する方向に移動するための位置決めブロック駆動機構と、
印刷用紙の断裁されるべき位置に関する入力値の入力を受ける入力部と、
入力値に基づいて、印刷用紙が断裁される毎に配置されるべき位置決めブロックの位置に関する演算値を演算する演算部と、
断裁刃駆動機構及び位置決めブロック駆動機構の動作を制御するための制御部と、を備え、
印刷用紙は、
少なくとも２つの面が面付けされると共に、各面の周囲には不要部が設けられ、
演算部は、
所定の演算値が補正されるとき、各面の各辺の長さに関する入力値は変更せず、不要部の幅に関する入力値が変更するように、他の演算値を自動的に補正する自動補正部を備え、
制御部は、
演算値が補正されるときは補正値に基づいて、演算値が補正されないときは演算値に基づいて、印刷用紙が断裁される毎に位置決めブロックを所定の位置に配置する。
【００１４】
好ましくは、
印刷用紙は、少なくとも４つの面が面付けされ、
自動補正部は、
印刷用紙から各面が切り落とされる前に印刷用紙が少なくとも２つに分割され、分割された各印刷用紙における各面の配置が同じとき、所定の分割された印刷用紙の補正値に対応する他の分割された印刷用紙の所定の演算値を自動的に補正する。
【００１５】
好ましくは、
さらに、位置決めブロックを所定の位置に移動するように指示するための移動指示部を備え、
制御部は、
移動指示部の指示に基づいて、位置決めブロックが断裁刃に対して近接又は離間する方向に移動するように、位置決めブロック駆動機構を制御し、
演算部は、
所定の演算値に基づいて位置決めブロックが所定の位置に配置された後に、移動指示部によって位置決めブロックが移動されると、位置決めブロックの移動量に基づいて、所定の演算値を補正する。
【００１６】
好ましくは、
移動指示部は、第１及び第２ボタンを備え、
制御部は、
第１ボタンが押されている間、位置決めブロックが断裁刃に対して近接する方向に移動するように、位置決めブロック駆動機構を制御すると共に、
第２ボタンが押されている間、位置決めブロックが断裁刃に対して離間する方向に移動するように、位置決めブロック駆動機構を制御する。
【００１７】
好ましくは、
さらに、テーブルの上方から可視光線を照射する照射部を備え、
照射部は、
テーブル上に載置された印刷用紙に可視光線を照射することによって、印刷用紙に断裁刃の先端の位置を示す。
【発明の効果】
【００１８】
本発明に係る用紙断裁機では、自動補正部は、所定の演算値が補正されるとき、各面の各辺の長さに関する入力値は変更せず、不要部の幅に関する入力値が変更するように、他の演算値を自動的に補正するので、演算値を補正するための時間と労力を減少できる。
【図面の簡単な説明】
【００１９】
【図１】用紙断裁機を示す斜視図。
【図２】用紙断裁機の主要部を示す斜視図。
【図３】用紙断裁機の構成を示すブロック図。
【図４】用紙断裁機の主要部を示す平面図。
【図５】印刷用紙を示す平面図。
【図６】ディスプレイに表示された設定画面を示す図。
【図７】ディスプレイに表示された第１番目の断裁に関する案内画面を示す図。
【図８】ディスプレイに表示された第４番目の断裁に関する案内画面を示す図。
【図９】別の実施形態の印刷用紙を示す平面図。
【発明を実施するための形態】
【００２０】
以下、図面に基づいて、本発明に係る用紙断裁機を説明する。
【００２１】
図１〜図４に基づいて、用紙断裁機の構成について説明する。
図１の通り、用紙断裁機は、フレーム１と、フレーム１に取り付けられ、印刷用紙３を載置するためのテーブル２と、を備える。用紙断裁機は、テーブル２の上方に、印刷用紙３を断裁するための断裁刃４を備える。テーブル２上には、刃受けプレート５が断裁刃４に対向して配置される。
【００２２】
用紙断裁機は、断裁刃４を往復運動するための断裁刃駆動機構１５を備える。断裁刃駆動機構１５は、断裁刃４を、印刷用紙３から上方に間隔をあけた待機位置と、刃受けプレート５に当接して印刷用紙３を断裁する断裁位置との間で往復運動する。
【００２３】
図２の通り、用紙断裁機は、印刷用紙３を位置決めするための位置決めブロック６を備える。位置決めブロック６は、断裁刃４に対して平行に延びている。用紙断裁機は、位置決めブロック６を断裁刃４に対して近接及び離間する方向６ｂに移動するための位置決めブロック駆動機構１６を備える。方向６ｂは、位置決めブロック６の延設方向に対して直角である。印刷用紙３の所定の辺を位置決めブロック６に当接することで、印刷用紙３が断裁刃４に対して位置決めされる。
【００２４】
位置決めブロック駆動機構１６は、テーブル２に設けられ、断裁刃４に対して垂直に延びるスリット７と、位置決めブロック６の下面に突設され、スリット７を貫通する突部６ａと、を備える。位置決めブロック６は、スリット７によって案内されてスライド運動する。位置決めブロック６の突部６ａは、スライド運動の方向に延びるネジ溝を有する貫通孔を備える。
【００２５】
位置決めブロック駆動機構１６は、さらに、フレーム１に取り付けられ、テーブル２の下側においてスリット７に沿って延び、軸周りに回転可能な送りネジ８を備える。送りネジ８は、位置決めブロック６の突部６ａの貫通孔に螺合する。送りネジ８は、プーリーとエンドレスベルトとからなる動力伝達機構９ａを介してモーター９に接続される。
【００２６】
こうして、モーター９によって送りネジ８が回転駆動することにより、位置決めブロック６は、スリット７に案内されて、断裁刃４に対して近接及び離間する方向６ｂにスライド運動する。
【００２７】
図１の通り、用紙断裁機は、ディスプレイ１１と、入力値（数値）の入力を受ける入力部２０と、を備える。入力部２０は、オペレーターを介して、印刷用紙３の断裁されるべき位置に関する入力値の入力を受ける。
【００２８】
図３の通り、用紙断裁機は、さらに、演算回路等からなる演算部２２を備える。演算部２２は、入力部２０からの入力値に基づいて、印刷用紙３が断裁される毎に配置されるべき位置決めブロック６の位置に関する演算値を演算する。
【００２９】
演算部２２は、所定の演算値が補正されたとき、補正された演算値に対応する他の演算値を自動的に補正する自動補正部２３を備える。自動補正部２３による自動補正については、本実施形態の印刷用紙３に基づいて、後で具体的に説明する。
【００３０】
用紙断裁機は、断裁刃駆動機構１５及び位置決めブロック駆動機構１６の動作を制御するための制御部１４を備える。制御部１４は、演算値が補正されるときは補正値に基づいて、演算値が補正されないときは演算値に基づいて、印刷用紙３が断裁される毎に位置決めブロック６を所定の位置に配置する。
【００３１】
図４の通り、位置決めブロック６は、断裁刃４から距離Ｌだけ離れて配置される。距離Ｌは、位置決めブロック６の移動によって変動する。位置決めブロック６は、演算部２２によって演算された演算値に基づいて、印刷用紙３が断裁される毎に所定の位置に配置される。そのため、印刷用紙３は、位置決めブロック６に当接された印刷用紙３の所定の辺３ａから距離Ｌだけ離れた位置で断裁される。
【００３２】
図５〜図８に基づいて、印刷用紙３の断裁操作について説明する。
図５の通り、本実施形態の印刷用紙３には、２つの面Ａ，Ｂが面付けされると共に、各面Ａ，Ｂの周囲には不要部Ｃ，Ｄ，Ｅ，Ｆ，Ｇが設けられている。印刷用紙３は、各面Ａ，Ｂの四隅にＬ字状のトンボ（レジスターマーク）３０が印刷されている。
【００３３】
印刷用紙３は、各トンボ３０を通る第１〜第６断裁線３１〜３６に沿って断裁されることで、不要部Ｃ，Ｄ，Ｅ，Ｆ，Ｇを切り落とすと共に、２つの面Ａ，Ｂを切り落とすことができる。
【００３４】
図６の通り、ディスプレイ１１には、印刷用紙３の位置に関する入力値を設定するための設定画面１１ａが表示される。設定画面１１ａには、不要部の第１幅に関する入力値Ｐ１（図５）を表示するための表示領域１１０と、不要部の第２幅に関する入力値Ｐ２（図５）を表示するための表示領域１１１と、不要部の第３幅に関する入力値Ｐ３（図９）を表示するための表示領域１１２と、不要部の第４幅に関する入力値Ｐ４（図５）を表示するための表示領域１１３と、が表示される。
【００３５】
設定画面１１ａには、さらに、面の横辺の長さに関する入力値Ｘ（図５）を表示するための表示領域１１５と、面の縦辺の長さに関する入力値Ｙ（図５）を表示するための表示領域１１６と、が表示される。設定画面１１ａには、さらに、横方向の面の数に関する入力値を表示するための表示領域１１７と、縦方向の面の数に関する入力値を表示するための表示領域１１８と、が表示される。
【００３６】
オペレーターは、テンキー（数字キーパッド）からなる入力部２０を介して、印刷用紙３の断裁されるべき位置に関する入力値（設定画面１１ａの各表示領域１１０〜１１８に表示されるべき入力値）を入力する。これにより、設定画面１１ａの各表示領域１１０〜１１８には、入力値が表示される。本実施形態の印刷用紙３は、横方向に１つの面が、縦方向に２つの面が面付けされているので、表示領域１１７に「１」が、表示領域１１８に「２」が表示される。
【００３７】
その後、演算部２２は、入力値に基づいて、印刷用紙３が断裁される毎に配置されるべき位置決めブロック６の位置に関する演算値を演算する。本実施形態の印刷用紙３における演算値について、具体的に説明する。
【００３８】
図５の通り、第１番目の断裁では、印刷用紙３の第１基準辺３ａを位置決めブロック６に当接して、断裁刃４で第１断裁線３１を断裁する。そのため、演算部２２は、第１基準辺３ａと第１断裁線３１との間の距離が、第１番目の断裁における位置決めブロック６の位置に関する演算値Ｌ１となるように演算する。
【００３９】
第２番目の断裁では、印刷用紙３の第２基準辺３ｂを位置決めブロック６に当接して、断裁刃４で第２断裁線３２を断裁する。そのため、演算部２２は、第２基準辺３ｂと第２断裁線３２との間の距離が、第２番目の断裁における位置決めブロック６の位置に関する演算値Ｌ２となるように演算する。
【００４０】
第３番目の断裁では、印刷用紙３の第２断裁線３２を位置決めブロック６に当接して、断裁刃４で第３断裁線３３を断裁する。そのため、演算部２２は、第２断裁線３２と第３断裁線３３との間の距離が、第３番目の断裁における位置決めブロック６の位置に関する演算値Ｌ３となるように演算する。
【００４１】
第４番目の断裁では、印刷用紙３の第１断裁線３１を位置決めブロック６に当接して、断裁刃４で第４断裁線３４を断裁する。そのため、演算部２２は、第１断裁線３１と第４断裁線３４との間の距離が、第４番目の断裁における位置決めブロック６の位置に関する演算値Ｌ４となるように演算する。
【００４２】
第５番目の断裁では、印刷用紙３の第１断裁線３１を位置決めブロック６に当接して、断裁刃４で第５断裁線３５を断裁する。そのため、演算部２２は、第１断裁線３１と第５断裁線３５との間の距離が、第５番目の断裁における位置決めブロック６の位置に関する演算値Ｌ５となるように演算する。
【００４３】
第６番目の断裁では、印刷用紙３の第１断裁線３１を位置決めブロック６に当接して、断裁刃４で第６断裁線３６を断裁する。そのため、演算部２２は、第１断裁線３１と第６断裁線３６との間の距離が、第６番目の断裁における位置決めブロック６の位置に関する演算値Ｌ６となるように演算する。
【００４４】
次に、第１番目の断裁が開始する。
図７の通り、ディスプレイ１１には、案内画面１１ｂが表示される。案内画面１１ｂには、今回の断裁に関する順番を表示するための表示領域１２０と、次回の断裁に関する順番を表示するための表示領域１２１と、が表示される。そのため、第１番目の断裁では、表示領域１２０に「１」が、表示領域１２１に「２」が表示される。
【００４５】
案内画面１１ｂには、さらに、今回の断裁に関する演算値を表示するための表示領域１２２と、次回の断裁に関する演算値を表示するための表示領域１２３と、が表示される。そのため、第１番目の断裁では、表示領域１２２に「演算値Ｌ１」が、表示領域１２３に「演算値Ｌ２」が表示される。
【００４６】
案内画面１１ｂには、さらに、今回の断裁に関する演算値と補正値との差を表示するための表示領域１２４と、次回の断裁に関する演算値と補正値との差を表示するための表示領域１２５とが、表示される。
補正値は、演算値が補正された値である。
第１番目の断裁では、補正値は入力されないので、表示領域１２４に「０」が、表示領域１２５に「０」が表示される。
【００４７】
案内画面１１ｂには、さらに、印刷用紙３の位置と位置決めブロック６の位置との関係を表示するための表示領域１２６と、印刷用紙３と印刷用紙３の断裁されるべき位置との関係を表示するための表示領域１２７と、が表示される。オペレーターは、表示領域１２６，１２７に表示された画像に基づいて、印刷用紙３の所定位置を位置決めブロック６に当接する。
【００４８】
第１番目の断裁では、制御部１４は、位置決めブロック駆動機構１６の動作を制御して、位置決めブロック６と断裁刃４との間の距離Ｌ（図４）が演算値Ｌ１（図５）と等しくなるように、位置決めブロック６を配置する。その後、オペレーターは、印刷用紙３の第１基準辺３ａを位置決めブロック６に当接する。
【００４９】
用紙断裁機は、図２の通り、テーブル２の上方から可視光線１８ａを照射する照射部１８を備える。照射部１８は、断裁刃４に対して平行に延設されている。照射部１８は、断裁刃４の先端に沿った可視光線１８ａを照射して、テーブル２に載置された印刷用紙３に断裁刃４の位置を示す。
【００５０】
オペレーターは、照射部１８からの可視光線１８ａと印刷用紙３のトンボ３０とに基づいて、断裁刃４の位置と第１断裁線３１の位置とが一致するか否か確認する。本実施形態では、断裁刃４の位置と第１断裁線３１の位置とが一致しているので、演算値Ｌ１に対する補正値は入力されない。
【００５１】
第１番目の断裁では、補正値の入力を受けないので、位置決めブロック６は移動しない。そして、オペレーターは、断裁スイッチ１２ａ，１２ｂ（図１）を押す。断裁スイッチ１２ａ，１２ｂの押圧により、制御部１４は、断裁刃駆動機構１５の動作を制御して、断裁刃４を待機位置と断裁位置との間で往復運動する。これにより、印刷用紙３は、第１断裁線３１に沿って断裁され、不要部Ｃが切り落とされる。これで、第１番目の断裁が終了する。
【００５２】
次に、第２番目の断裁が開始する。
第２番目の断裁では、第１番目の断裁と同様に、ディスプレイ１１には、案内画面１１ｂが表示される。第２番目の断裁では、補正値の入力を受けないので、制御部１４は、位置決めブロック駆動機構１６の動作を制御して、位置決めブロック６と断裁刃４との間の距離Ｌ（図４）が演算値Ｌ２（図５）と等しくなるように、位置決めブロック６を配置する。その後、オペレーターは、案内画面１１ｂの表示に基づいて、印刷用紙３の第２基準辺３ｂを位置決めブロック６に当接して、断裁スイッチ１２ａ，１２ｂを押す。これにより、印刷用紙３は、第２断裁線３２に沿って断裁され、不要部Ｄが切り落とされる。これで、第２番目の断裁が終了する。
【００５３】
次に、第３番目の断裁が開始する。
第３番目の断裁の説明は、第１及び第２番目の断裁と同様であるので省略する。印刷用紙３は、第３断裁線３３に沿って断裁され、不要部Ｅが切り落とされる。
【００５４】
次に、第４番目の断裁が開始する。
図８の通り、第４番目の断裁では、第１〜第３番目の断裁と同様に、ディスプレイ１１には、案内画面１１ｂが表示される。第４番目の断裁では、表示領域１２０に「４」が、表示領域１２１に「５」が表示される。第４番目の断裁では、表示領域１２２に「演算値Ｌ４」が、表示領域１２３に「演算値Ｌ５」が表示される。
【００５５】
第４番目の断裁では、制御部１４は、位置決めブロック駆動機構１６の動作を制御して、位置決めブロック６と断裁刃４との間の距離Ｌ（図４）が演算値Ｌ４（図５）と等しくなるように、位置決めブロック６を配置する。その後、オペレーターは、印刷用紙３の第１断裁線３１を位置決めブロック６に当接する。
【００５６】
オペレーターは、照射部１８からの可視光線１８ａと印刷用紙３のトンボ３０とに基づいて、断裁刃４の位置と第４断裁線３４の位置とが一致するか否か確認する。本実施形態では、断裁刃４の位置と第４断裁線３４の位置とが一致していないので、演算値Ｌ４が補正される。
【００５７】
図１及び図３の通り、用紙断裁機は、位置決めブロック６を移動するように指示するための移動指示部２１を備える。制御部１４は、移動指示部２１の指示に基づいて、位置決めブロック６が断裁刃４に対して近接又は離間する方向に移動するように、位置決めブロック駆動機構１６を制御する。
【００５８】
本実施形態では、移動指示部２１は、第１ボタン２１ａ及び第２ボタン２１ｂを備える。制御部１４は、第１ボタン２１ａが押されている間、位置決めブロック６が断裁刃４に対して近接する方向に移動するように、位置決めブロック駆動機構１６を制御する。制御部１４は、さらに、第２ボタン２１ｂが押されている間、位置決めブロック６が断裁刃４に対して離間する方向に移動するように、位置決めブロック駆動機構１６を制御する。
【００５９】
オペレーターは、第１及び第２ボタン２１ａ，２１ｂの操作によって、断裁刃４の位置と第４断裁線３４の位置とが一致するように、位置決めブロック６と共に印刷用紙３を移動する。位置決めブロック６の移動量ΔＬに基づいて、演算部２２は、演算値Ｌ４を補正して補正値Ｌ４’（Ｌ４’＝Ｌ４＋ΔＬ）を演算する。案内画面１１ｂの表示領域１２４には、演算値Ｌ４と補正値Ｌ４’との差「差ΔＬ」（ΔＬ＝Ｌ４−Ｌ４’）が表示される。
【００６０】
ここで、図５の通り、演算値Ｌ４と演算値Ｌ５との差は、面Ａの縦辺の長さに関する入力値Ｙと等しい（Ｙ＝Ｌ４−Ｌ５）。しかし、補正値Ｌ４’と演算値Ｌ５との差は、面Ａの縦辺の長さに関する入力値Ｙと異なる（Ｙ≠Ｌ４’−Ｌ５）。さらに、面Ａ，Ｂの各辺の長さは、入力値Ｘ，Ｙと等しくなる必要がある。
【００６１】
そのため、自動補正部２３は、面Ａの縦辺の長さに関する入力値Ｙが変更せず、不要部Ｇの幅に関する入力値Ｐ４が変更するように、補正値Ｌ４’に対応して、演算値Ｌ５を自動的に補正して補正値Ｌ５’を演算する。すなわち、演算値Ｌ４と補正値Ｌ４’との差ΔＬ（ΔＬ＝Ｌ４’−Ｌ４）に基づいて、補正値Ｌ５’（Ｌ５’＝Ｌ５＋ΔＬ）を自動的に演算する。これにより、補正値Ｌ４’と補正値Ｌ５’との差は、面Ａの縦辺の長さに関する入力値Ｙと等しくなる（Ｙ＝Ｌ４’−Ｌ５’）。案内画面１１ｂの表示領域１２５には、「差ΔＬ」が表示される。
【００６２】
そして、オペレーターは、断裁スイッチ１２ａ，１２ｂ（図１）を押す。断裁スイッチ１２ａ，１２ｂの押圧により、制御部１４は、断裁刃駆動機構１５の動作を制御して、断裁刃４を待機位置と断裁位置との間で往復運動する。これにより、印刷用紙３は、第４断裁線３４に沿って断裁され、不要部Ｆが切り落とされる。これで、第４番目の断裁が終了する。
【００６３】
次に、第５番目の断裁が開始する。
第５番目の断裁では、第１〜第４番目の断裁と同様に、ディスプレイ１１には、案内画面１１ｂが表示される。第５番目の断裁では、補正値Ｌ５’が入力されているので、制御部１４は、位置決めブロック駆動機構１６の動作を制御して、位置決めブロック６と断裁刃４との間の距離Ｌ（図４）が補正値Ｌ５’（図５）と等しくなるように、位置決めブロック６を配置する。その後、オペレーターは、案内画面１１ｂの表示に基づいて、印刷用紙３の第１断裁線３１を位置決めブロック６に当接して、断裁スイッチ１２ａ，１２ｂを押す。これにより、印刷用紙３は、第５断裁線３５に沿って断裁され、面Ａを切り落とすことができる。これで、第５番目の断裁が終了する。
【００６４】
次に、第６番目の断裁が開始する。
第６番目の断裁の説明は、第１〜第３番目の断裁と同様であるので省略する。印刷用紙３は、第６断裁線３６に沿って断裁され、不要部Ｇが切り落とされると共に、面Ｂを切り落とすことができる。
【００６５】
［別の実施形態］
図９に基づいて、別の実施形態の印刷用紙３’の断裁操作について説明する。上記実施形態と同様の説明は、省略する。
図９の通り、本実施形態の印刷用紙３’には、４つの面ａ，ｂ，ｃ，ｄが面付けされると共に、各面ａ，ｂ，ｃ，ｄの周囲には不要部ｅ，ｆ，ｇ，ｈ，ｉ，ｊ，ｋ，ｌが設けられている。印刷用紙３’は、各面ａ，ｂ，ｃ，ｄの四隅に対応する位置にＬ字状のトンボ（レジスターマーク）３０が印刷されている。
【００６６】
印刷用紙３’は、各トンボ３０を通る第１〜第１１断裁線３１〜４１に沿って断裁されることで、４つの面ａ，ｂ，ｃ，ｄを切り落とすことができると共に、不要部ｅ，ｆ，ｇ，ｈ，ｉ，ｊ，ｋ，ｌを切り落とすことができる。
【００６７】
オペレーターは、入力部２０を介して、印刷用紙３の断裁されるべき位置に関する入力値（設定画面１１ａの各表示領域１１０〜１１８に表示されるべき入力値）を入力する。これにより、設定画面１１ａの各表示領域１１０〜１１８には、入力値が表示される。本実施形態では、表示領域１１７に「２」が、表示領域１１８に「２」が表示される。
【００６８】
図９の通り、演算部２２は、第１基準辺３ａと第１断裁線３１との間の距離が、第１番目の断裁における位置決めブロック６の位置に関する演算値Ｌ１となるように演算する。
演算部２２は、第２基準辺３ｂと第２断裁線３２との間の距離が、第２番目の断裁における位置決めブロック６の位置に関する演算値Ｌ２となるように演算する。
【００６９】
演算部２２は、第２断裁線３２と第３〜第５断裁線３３〜３５との間の距離が、第３〜第５番目の断裁における位置決めブロック６の位置に関する演算値Ｌ３〜Ｌ５となるように演算する。
演算部２２は、第１断裁線３１と第６〜第１１断裁線３６〜４１との間の距離が、第６〜第１１番目の断裁における位置決めブロック６の位置に関する演算値Ｌ６〜Ｌ１１となるように演算する。
【００７０】
次に、印刷用紙３’は、第１〜第５断裁線３１〜３５に沿って断裁され、不要部ｅ，ｆ，ｇ，ｈが切り落とされる。これにより、印刷用紙３’は、面ａ，ｂ及び不要部ｉ，ｊを含む分割用紙３’’と、面ｃ，ｄ及び不要部ｋ，ｌを含む分割用紙３’’と、に分割される。
【００７１】
本実施形態では、断裁刃４の位置と第６断裁線３６の位置とが一致していないので、演算値Ｌ６が補正される。オペレーターは、第１及び第２ボタン２１ａ，２１ｂの操作によって、断裁刃４の位置と第６断裁線３６の位置とが一致するように、位置決めブロック６と共に分割された印刷用紙３’’を移動する。位置決めブロック６の移動量ΔＬに基づいて、演算部２２は、演算値Ｌ６を補正して補正値Ｌ６’（Ｌ６’＝Ｌ６＋ΔＬ）を演算する。
【００７２】
ここで、面ａ，ｂの各辺の長さは、入力値Ｘ，Ｙと等しくなる必要がある。そのため、自動補正部２３は、面ａの縦辺の長さに関する入力値Ｙは変更せず、不要部ｊの幅に関する入力値Ｐ４が変更するように、補正値Ｌ６’に対応して、演算値Ｌ７を自動的に補正して補正値Ｌ７’を演算する。これにより、補正値Ｌ６’と補正値Ｌ７’との差は、面ａの縦辺の長さに関する入力値Ｙと等しくなる（Ｙ＝Ｌ６’−Ｌ７’）。
【００７３】
その後、分割された印刷用紙３’’は、第６断裁線３６に沿って断裁され、不要部ｉが切り落とされる。
その後、分割された印刷用紙３’’は、第７断裁線３７に沿って断裁され、面ａを切り落とすことができる。
その後、分割された印刷用紙３’’は、第８断裁線３８に沿って断裁され、不要部ｊが切り落とされると共に、面ｂを切り落とすことができる。
【００７４】
分割された印刷用紙３’’と、分割された印刷用紙３’’’とは、同じ大きさである。さらに、印刷用紙３’’における面ａ，ｂの配置と、印刷用紙３’’’における面ｃ，ｄの配置とは、同じである。そのため、演算値Ｌ６と演算値Ｌ９とは同じである。さらに、演算値Ｌ７と演算値Ｌ１０とは同じである。さらに、演算値Ｌ８と演算値Ｌ１１とは同じである。
【００７５】
本実施形態では、演算部２２は、演算値Ｌ６を補正して補正値Ｌ６’を演算した。さらに、自動演算部２３は、演算値Ｌ７を自動的に補正して補正値Ｌ７’を演算した。
上記の通り、印刷用紙３’’における面ａ，ｂの配置と、印刷用紙３’’’における面ｃ，ｄの配置とは、同じであるので、自動演算部２３は、演算値Ｌ９を自動的に補正して補正値Ｌ９’を演算すると共に、演算値Ｌ１０を自動的に補正して補正値Ｌ１０’を演算する。これにより、補正値Ｌ９’と補正値Ｌ１０’との差は、面ｃの縦辺の長さに関する入力値Ｙと等しくなる（Ｙ＝Ｌ９’−Ｌ１０’）。
【００７６】
その後、分割された印刷用紙３’’’は、第９断裁線３９に沿って断裁され、不要部ｋが切り落とされる。
その後、分割された印刷用紙３’’’は、第１０断裁線４０に沿って断裁され、面ｃを切り落とすことができる。
その後、分割された印刷用紙３’’’は、第１１断裁線４１に沿って断裁され、不要部ｌが切り落とされると共に、面ｄを切り落とすことができる。
【００７７】
本発明は、上記実施形態に限定されるものではなく、上記構成を適宜変更することもで
きる。例えば、以下のように変更して実施することもでき、以下の変更を組み合わせて実
施することもできる。
上記実施形態では、位置決めブロック６の移動量に基づいて、補正値が入力されているが、別の実施形態では、入力部２０を介して、補正値が入力されてもよい。上記実施形態では、２つ又は４つの面が印刷用紙３に面付けされているが、別の実施形態では、５つ以上の面が印刷用紙３に面付けされてもよい。
【００７８】
本発明に係る用紙断裁機の効果について説明する。
（１）演算部２２は、所定の演算値Ｌ１〜Ｌ６が補正されるとき、各面Ａ，Ｂの各辺の長さに関する入力値Ｘ，Ｙは変更せず、不要部Ｃ，Ｄ，Ｅ，Ｆ，Ｇの幅に関する入力値Ｐ１〜Ｐ４が変更するように、他の演算値Ｌ１〜Ｌ６を自動的に補正する自動補正部２３を備える。そして、制御部１４は、演算値Ｌ１〜Ｌ６が補正されるときは補正値Ｌ４’，Ｌ５’に基づいて、演算値Ｌ１〜Ｌ６が補正されないときは演算値Ｌ１〜Ｌ６に基づいて、印刷用紙３が断裁される毎に、位置決めブロック６を所定の位置に配置する。
これにより、オペレーターは、全ての演算値Ｌ１〜Ｌ６を補正する必要がないので、時間及び労力を減少できる。さらに、必要な各面Ａ，Ｂの各辺の長さに関する入力値Ｘ，Ｙが変更せず、不要な不要部Ｃ，Ｄ，Ｅ，Ｆ，Ｇの幅に関する入力値Ｐ１〜Ｐ４が変更するので、予め決められた所定サイズの面Ａ，Ｂを切り落とすことができる。
【００７９】
（２）印刷用紙３’は、少なくとも４つの面ａ，ｂ，ｃ，ｄが面付けされており、自動補正部２３は、印刷用紙３’から各面ａ，ｂ，ｃ，ｄが切り落とされる前に印刷用紙３’が少なくとも２つに分割され、分割された各印刷用紙３’’，３’’’における各面ａ，ｂ，ｃ，ｄの配置が同じとき、所定の分割された印刷用紙３’’の補正値Ｌ６’，Ｌ７’に対応する他の分割された印刷用紙３’’’の所定の演算値Ｌ９．Ｌ１０を自動的に補正する。
これにより、オペレーターは、分割された他の印刷用紙３’’’に対して、演算値Ｌ９．Ｌ１０を補正する必要がないので、時間及び労力を減少できる。
【００８０】
（３）演算部２２は、所定の演算値Ｌ１〜Ｌ６に基づいて位置決めブロック６が所定の位置に配置された後に、移動指示部２１によって位置決めブロック６が移動されると、位置決めブロック６の移動量ΔＬに基づいて、所定の演算値Ｌ１〜Ｌ６を補正する。
これにより、オペレーターは、位置決めブロック６を移動するだけで補正値を入力できるので、時間及び労力を減少できる。さらに、位置決めブロック６の移動によって、印刷用紙３の断裁されるべき位置を確認できるので、正確な補正値を入力できる。
【００８１】
（４）制御部１４は、第１ボタン２１ａが押されている間、位置決めブロック６が断裁刃４に対して近接する方向に移動するように、位置決めブロック駆動機構１６を制御すると共に、第２ボタン２１ｂが押されている間、位置決めブロック６が断裁刃４に対して離間する方向に移動するように、位置決めブロック駆動機構１６を制御する。
これにより、オペレーターは、位置決めブロック６の移動及び停止を正確に行うことができる。
【００８２】
（５）照射部１８は、テーブル２上に載置された印刷用紙３に可視光線１８ａを照射することによって、印刷用紙３に断裁刃４の先端の位置を示す。
これにより、オペレーターは、印刷用紙３の断裁されるべき位置をより正確に確認できるので、より正確な補正値を入力できる。
【符号の説明】
【００８３】
２  テーブル
３，３’  印刷用紙
３’’，３’’’  分割された印刷用紙
４  断裁刃
６  位置決めブロック
１４  制御部
１５  断裁刃駆動機構
１６  位置決めブロック移動機構
１８  照射部
１８ａ  可視光線
２１  移動指示部
２１ａ  第１ボタン
２１ｂ  第２ボタン
２３  自動補正部
２０  入力部
２２  演算部
Ａ，Ｂ：ａ，ｂ，ｃ，ｄ  面
Ｃ，Ｄ，Ｅ，Ｆ，Ｇ：ｅ，ｆ，ｇ，ｈ，ｉ，ｊ，ｋ，ｌ  不要部
Ｘ，Ｙ  各面の各辺の長さに関する入力値
Ｐ１〜Ｐ４  不要部の幅に関する入力値
Ｌ１〜Ｌ６  演算値
Ｌ４’，Ｌ５’  補正値
ΔＬ  演算値と補正値との差（位置決めブロックの移動量）
【図１】
2015229202.tif 000003
【図２】
2015229202.tif 000004
【図３】
2015229202.tif 000005
【図４】
2015229202.tif 000006
【図５】
2015229202.tif 000007
【図６】
2015229202.tif 000008
【図７】
2015229202.tif 000009
【図８】
2015229202.tif 000010
【図９】
2015229202.tif 000011